(57)【要約】      （修正有）【課題】スチーム噴霧装置におけるイオン交換樹脂の交換作業性を向上させる給液タンク及びスチーム噴霧装置を提供する。【解決手段】液体を貯留するタンク部４０と、液体を排出して給液する給液口部５０と、を備えるスチーム噴霧装置用の給液タンク１０であって、タンク部４０と給液口部５０との間に、注入口部と注出口部６３とを有するカートリッジ６０が着脱可能に取り付けられており、カートリッジ６０は、イオン交換樹脂Ｐが内部に充填されている。また、給液口部５０は、タンク部４０を隔離する筒状部材５１を有し、筒状部材５１は、カートリッジ６０の注出口部６３を着脱可能に取り付ける連結部５４が形成されている。さらに、給液口部５０は、筒状部材５１の一端側に設けられる給液弁５３を有し、給液タンク１０がスチーム噴霧装置に装着されたときに、給液弁５３は、給液口５２を開放状態にする。【選択図】図７
0003211227.tif 000002
【実用新案登録請求の範囲】
【請求項１】
液体を貯留するタンク部と、
前記液体を排出して給液する給液口部と、を備えるスチーム噴霧装置用の給液タンクであって、
前記タンク部と前記給液口部との間に、注入口部と注出口部とを有するカートリッジが着脱可能に取り付けられており、
前記カートリッジは、イオン交換樹脂が内部に充填されている
ことを特徴とする給液タンク。
【請求項２】
前記給液口部は、前記タンク部を隔離する筒状部材を有し、
前記筒状部材は、前記カートリッジの前記注出口部を着脱可能に取り付ける連結部が形成されている
ことを特徴とする請求項１に記載の給液タンク。
【請求項３】
前記給液口部は、前記筒状部材の一端側に設けられる給液弁を有し、
前記給液タンクが前記スチーム噴霧装置に装着されたときに、前記給液弁は、給液口を開放状態にする
ことを特徴とする請求項２に記載の給液タンク。
【請求項４】
請求項１から３までのいずれか１項に記載の給液タンクと、
噴霧ノズルを有する沸騰タンクと、を備え、
前記沸騰タンクで消費された液体の体積分が、前記給液タンクから給液される
ことを特徴とするスチーム噴霧装置。
【考案の詳細な説明】
【技術分野】
【０００１】
本考案は、スチームを噴霧するスチーム噴霧装置用の給液タンク及びスチーム噴霧装置に関する。
【背景技術】
【０００２】
従来、水などの液体をヒータで加熱して沸騰させ、スチーム（蒸気）を発生させて、使用者の顔などの皮膚に向けて噴霧することで、肌に潤いを与える美容機器（スチーム噴霧装置）が知られている（特許文献１及び２参照）。
【０００３】
この種のスチーム噴霧装置では、液体として水道水を使用すると、水道水に含まれるカルシウム成分などの不純物から水垢が生成されるため、スチームの発生を阻害する可能性があった。そこで、特許文献２では、液体が貯留（補充）される給液タンク（水タンク）と、給液タンクから液体が給液される沸騰タンク（スチーム発生室）との間に、イオン交換樹脂を収容する防塵フィルタを設置し、イオン交換樹脂の不純物吸着作用によって水道水からカルシウム成分などの不純物を除去するようにしたスチーム噴霧装置が提案されている。
【先行技術文献】
【特許文献】
【０００４】
【特許文献１】特開２０１５−０３９３９９号公報
【特許文献２】特開昭６３−００５７６２号公報
【考案の概要】
【考案が解決しようとする課題】
【０００５】
しかしながら、イオン交換樹脂は、不純物を多量に吸着すると、飽和し、不純物吸着性能が低下するので、定期的な交換や再生が必要となるが、特許文献２に記載のスチーム噴霧装置では、イオン交換樹脂を収容する防塵フィルタが、給液タンクの更に奥側に取り付けられているため、イオン交換樹脂の交換や再生に手間がかかるという問題があった。
【０００６】
そこで、本考案は以上の課題に鑑みてなされたものであり、スチーム噴霧装置におけるイオン交換樹脂の交換作業性を向上させる給液タンク及びスチーム噴霧装置を提供することを目的とする。
【課題を解決するための手段】
【０００７】
（１）本考案に係る一つの態様は、液体を貯留するタンク部と、前記液体を排出して給液する給液口部と、を備えるスチーム噴霧装置用の給液タンクであって、前記タンク部と前記給液口部との間に、注入口部と注出口部とを有するカートリッジが着脱可能に取り付けられており、前記カートリッジは、イオン交換樹脂が内部に充填されている。
（２）上記（１）の態様において、前記給液口部は、前記タンク部を隔離する筒状部材を有し、前記筒状部材は、前記カートリッジの前記注出口部を着脱可能に取り付ける連結部が形成されていてもよい。
（３）上記（１）又は（２）の態様において、前記給液口部は、前記筒状部材の一端側に設けられる給液弁を有し、前記給液タンクが前記スチーム噴霧装置に装着されたときに、前記給液弁は、給液口を開放状態にしてもよい。
（４）本考案に係る別の一つの態様は、上記（１）から（３）のいずれか１つに記載の給液タンクと、噴霧ノズルを有する沸騰タンクとを備え、前記沸騰タンクで消費された液体の体積分が、前記給液タンクから給液されることを特徴とするスチーム噴霧装置。
【考案の効果】
【０００８】
本考案によれば、スチーム噴霧装置におけるイオン交換樹脂の交換作業性を向上させる給液タンク及びスチーム噴霧装置を提供することができる。
【図面の簡単な説明】
【０００９】
【図１】本考案の実施形態に係る給液タンクを備えるスチーム噴霧装置の正面側斜視図である。
【図２】本考案の実施形態に係る給液タンクを備えるスチーム噴霧装置の背面側斜視図である。
【図３】本考案の実施形態に係る給液タンクの正面図である。
【図４】本考案の実施形態に係る給液タンクの左側面図である。
【図５】本考案の実施形態に係る給液タンクの右側面図である。
【図６】本考案の実施形態に係る給液タンクの下面図である。
【図７】本考案の実施形態に係る給液タンクのＡ−Ａ断面図である。
【図８】本考案の実施形態に係る給液タンクのＢ−Ｂ断面図である。
【考案を実施するための形態】
【００１０】
以下、本考案の実施形態について、図面を参照して詳細に説明する。なお、本明細書の実施形態においては、全体を通じて、同一の部材には同一の符号を付している。
【００１１】
図１は、本考案の実施形態に係る給液タンク１０を備えるスチーム噴霧装置１の正面側斜視図、図２は、本考案の実施形態に係る給液タンク１０を備えるスチーム噴霧装置１の背面側斜視図である。
スチーム噴霧装置１は、水などの液体を蒸気化してスチームを噴霧する美容機器（美顔器）として用いられるものであり、テスラー、クリーナーなど各種美容器具を収納可能な筐体１００で覆われて形成されている。ただし、スチーム噴霧装置１の用途は、これに限られず、加湿器などとして用いてもよい。
【００１２】
この筐体１００は、上蓋１０１の裏側に、ミラーＭを備えており、上蓋１０１を開いた状態でミラーＭの下方両側に、後述する噴霧口２１を備えている。また、これらの噴霧口２１の間に、１００Ｗ程度の赤外線ヒータＩＲを備えており、赤外線ヒータＩＲの前方に、すなわち筐体１００の略中央部に、後述する給液タンク１０を収納している（図１参照）。なお、筐体１００の正面側上面には、各種操作スイッチが備えられている。
【００１３】
一方、筐体１００の背面側には、複数の開口１０３が形成されており、筐体１００内の空気を換気又は排気することができる（図２参照）。
【００１４】
スチーム噴霧装置１の具体的な構成を説明すると、スチーム噴霧装置１は、給液タンク１０と、図示されない沸騰タンクと、給液タンク１０と沸騰タンクとを連通する給液路と、を備えている。
【００１５】
給液タンク１０は、沸騰タンクに水などの液体を給液するためのものであるが、詳細は後述する。沸騰タンクは、給液タンク１０から給液される液体を一時貯留する空間を有し、ヒータなどの加熱手段により、貯留した液体を沸騰させるものである。
【００１６】
沸騰により発生したスチームは、スチームノズル２０に送られ、スチームノズル２０の噴霧口２１から使用者の顔などに向けて噴霧される。そして、沸騰タンクで消費された液体の体積分が、給液タンク１０から給液されるようになっている。
【００１７】
つぎに、本考案の要部であるスチーム噴霧装置１の給液タンク１０について、図３から図８を参照して説明する。
図３は、本考案の実施形態に係る給液タンク１０の正面図、図４は、本考案の実施形態に係る給液タンク１０の左側面図、図５は、本考案の実施形態に係る給液タンク１０の右側面図、図６は、本考案の実施形態に係る給液タンク１０の下面図、図７は、本考案の実施形態に係る給液タンク１０のＡ−Ａ断面図、図８は、本考案の実施形態に係る給液タンク１０のＢ−Ｂ断面図である。
【００１８】
給液タンク１０は、図３に示すように、天井面が傾斜した概略立方体形状の容器である。この給液タンク１０は、液体を貯留するタンク部４０と、液体を排出して沸騰タンクに給液する給液口部５０と、タンク部４０と給液口部５０との間に着脱可能に取り付けられるカートリッジ６０と、を備えている（図７参照）。
【００１９】
タンク部４０は、図７及び図８に示すように、液体を貯留する空間を形成しており、その容量は３００ｃｃ程度である。タンク部４０の上方は、蓋部材４１で覆われている。
【００２０】
また、タンク部４０は、カートリッジ６０と対向する壁部に、カートリッジ６０の注入口部６２と連結可能な連結部４２が形成されている。給液タンク１０にカートリッジ６０が装着された状態では、カートリッジ６０の注入口部６２が連結部４２に連結され、タンク部４０に貯留された液体が連結部４２及び注入口部６２を介してカートリッジ６０の内部に注入される。
【００２１】
給液口部５０は、図７及び図８に示すように、タンク部４０を隔離する筒状部材５１と、給液タンク１０本体に係止又は螺合される給液キャップ５５とで構成されている。給液口５２は、この給液キャップ５５に形成されており、給液口５２を開閉する給液弁５３も、給液キャップ５５に取り付けられている。給液弁５３は、図示されないバネなどの弾性部材により給液口５２を閉止する方向に付勢されている。
【００２２】
筒状部材５１は、カートリッジ６０と対向する壁部に、カートリッジ６０の注出口部６３と連結可能な連結部５４を有している。給液タンク１０にカートリッジ６０が装着された状態では、カートリッジ６０の注出口部６３が連結部５４に連結され、カートリッジ６０内の液体が注出口部６３及び連結部５４を介して給液口部５０に注出される。
【００２３】
ところで、給液タンク１０は、スチーム噴霧装置１に対して着脱可能に装着されており、スチーム噴霧装置１の筐体１００に装着されることで、給液弁５３が給液口５２を開放する開放状態となり、給液口部５０内の液体が、給液口５２から排出され、沸騰タンクに給液される。
【００２４】
このとき、給液タンク１０内が真空にならないように、給液口５２から給液口部５０（筒状部材５１）内に空気が吸込まれる。これにより、給液タンク１０から沸騰タンクへの液体の給液が円滑に行われる。
【００２５】
カートリッジ６０は、図３から図８に示すように、給液タンク１０に着脱可能に装着されるカートリッジ本体６１と、タンク部４０の連結部４２に連結され、タンク部４０内の液体をカートリッジ６０内に注入させる注入口部６２と、給液口部５０の連結部５４に連結され、カートリッジ６０内の液体を給液口部５０に注出する注出口部６３と、イオン交換樹脂Ｐが充填されるイオン交換樹脂充填部６４と、給液タンク１０の係合孔３３に係合し、カートリッジ６０の抜け止めを行う係合部６５と、を有している。
【００２６】
カートリッジ本体６１は、中空箱形状の樹脂成形部材であり、給液タンク１０に形成されるカートリッジ挿入部３０に挿入状態で装着される。注入口部６２と注出口部６３は、カートリッジ本体６１の挿入方向先端面に設けられ、カートリッジ挿入部３０に対するカートリッジ本体６１の挿入に応じて、それぞれ、タンク部４０の連結部４２と、給液口部５０の連結部５４とに自動的に連結される。
【００２７】
係合部６５は、カートリッジ本体６１の挿入方向両側部に一体形成される係合爪６６の弾性を利用し、カートリッジ挿入部３０に対するカートリッジ本体６１の挿入に応じて給液タンク１０の係合孔３３に自動的に係合するスナップフィット構造を有している（図４及び５参照）。
【００２８】
この係合爪６６には、係合解除レバー６７が一体的に延設されており（図６参照）、係合解除レバー６７の操作で係合孔３３に対する係合爪６６の係合を解除することにより、カートリッジ６０の取り外しが可能になる。
【００２９】
イオン交換樹脂充填部６４は、注入口部６２と注出口部６３との間の液体流路に形成され、粒状のイオン交換樹脂Ｐが充填されている（図７参照）。イオン交換樹脂Ｐは、給液タンク１０に水道水が補充された場合、水道水に含まれるカルシウム成分などの不純物を吸着し、水垢の生成を抑制することができる。ただし、イオン交換樹脂Ｐは、不純物を多量に吸着すると飽和し、不純物吸着性能が低下するので、定期的な交換や再生が必要となる。
【００３０】
ここで、イオン交換樹脂Ｐの交換や再生を行う場合は、カートリッジ６０をスチーム噴霧装置１の筐体１００から取り外すとともに、未使用又は再生済のイオン交換樹脂Ｐが充填されたカートリッジ６０を再びスチーム噴霧装置１に取り付ける必要がある。しかしながら、本実施形態のカートリッジ６０は、給液タンク１０に対して着脱可能に取り付けられているので、着脱が容易であり、イオン交換樹脂Ｐの交換や再生に要する手間を軽減できる。
【００３１】
以上説明したとおり、本考案の実施形態に係る給液タンク１０は、液体を貯留するタンク部４０と、液体を排出して給液する給液口部５０と、を備えるスチーム噴霧装置１用の給液タンク１０であって、タンク部４０と給液口部５０との間に、注入口部６２と注出口部６３とを有するカートリッジ６０が着脱可能に取り付けられており、カートリッジ６０は、イオン交換樹脂Ｐが内部に充填されている。
【００３２】
これにより、イオン交換樹脂Ｐへのアクセスが容易になり、スチーム噴霧装置１におけるイオン交換樹脂Ｐの交換や再生に要する手間を軽減することができる。
【００３３】
実施形態では、給液口部５０は、タンク部４０を隔離する筒状部材５１を有し、筒状部材５１は、カートリッジ６０の注出口部６３を着脱可能に取り付ける連結部５４が形成されている。
【００３４】
これにより、給液口部５０をタンク部４０から確実に隔離することができ、タンク部４０内の液体は、カートリッジ６０を介して給液口部５０に供給されるようになる。
【００３５】
実施形態では、給液口部５０は、筒状部材５１の一端側に設けられる給液弁５３を有し、給液タンク１０がスチーム噴霧装置１に装着されたときに、給液弁５３は、給液口５２を開放状態にする。
【００３６】
これにより、給液口５２からの液漏れを防ぎつつ、給液タンク１０をスチーム噴霧装置１から着脱することができるとともに、給液タンク１０がスチーム噴霧装置１から取り外された状態でカートリッジ６０を着脱することができる。
【００３７】
実施形態では、給液タンク１０は、タンク部４０を覆う蓋部材４１を備える。これにより、給液タンク１０の着脱に際して、タンク部４０からの液溢れを防止することができる。
【００３８】
以上、本考案の好ましい実施形態について詳述したが、本考案は上述した実施形態に限定されるものではなく、実用新案登録請求の範囲に記載された本考案の要旨の範囲内において、種々の変形、変更が可能である。
【符号の説明】
【００３９】
１      スチーム噴霧装置
１０    給液タンク
２０    スチームノズル、２１  噴霧口
３０    カートリッジ挿入部、３３  係合孔
４０    タンク部、４１  蓋部材、４２  連結部
５０    給液口部、５１  筒状部材、５２  給液口、５３  給液弁、５４  連結部、５５  給液キャップ
６０    カートリッジ、６１  カートリッジ本体、６２  注入口部、６３  注出口部、６４  イオン交換樹脂充填部、６５  係合部、６６  係合爪、６７  係合解除レバー
１００  筐体、１０１  上蓋、１０３  開口
Ｍ      ミラー、ＩＲ  赤外線ヒータ、Ｐ  イオン交換樹脂
【図１】
0003211227.tif 000003
【図２】
0003211227.tif 000004
【図３】
0003211227.tif 000005
【図４】
0003211227.tif 000006
【図５】
0003211227.tif 000007
【図６】
0003211227.tif 000008
【図７】
0003211227.tif 000009
【図８】
0003211227.tif 000010